(57)【要約】【課題】  本考案は主に透視できない水中にある流木等を探りながら把持でき、被把持物を確実に掴み、かつ油圧などを用いない簡易な把持具であり、比較的軽量で部品点数が少なく、安全に引揚げることかできる吊り上げ用把持具を提供する。【解決手段】  本考案はそれぞれ一端部でロープと係合され、また、略中間部で交差し、支点ピンによって軸支された一対の湾曲して対向する把持部を有する把持具と該把持具の一方の把持部に設けられた支持ピンで回転自在に軸支され、その先端に切り欠きを持ち、他方の把持具の把持部に設けられたピンと係合する支持アームとを備え、かつ、前記把持具の把持部に鋸歯列が設けられていることを特徴とし、不透明な水中で被把持具の方向や、太さ、埋没状態、重量バランス等に関係なく、被把持物を確実に掴み、引き上げることができる。【選択図】図１
0003128277.tif 000002
【実用新案登録請求の範囲】
【請求項１】
それぞれ一端部でロープと係合され、また、略中間部で交差し、支点ピンによって軸支された一対の湾曲して対向する把持部を有する把持具と該把持具の一方の把持部に設けられた支持ピンで回転自在に軸支され、その先端に切り欠きを持ち、他方の把持具の把持部に設けられたピンと係合する支持アームとを備え、かつ、前記把持具の把持部に鋸歯列が設けられていることを特徴とする吊り上げ用把持具。
【考案の詳細な説明】
【技術分野】
【０００１】  本考案は、主として、水中に没している流木等を引き上げる際に使用する吊り上げ用の把持具に関するものである。
【背景技術】
【０００２】  台風、大雨等でダム、堰堤等には大量の流木が土砂を伴って流入するが、放置すると取水口や水門が閉塞されダム機能を失うため、土砂に埋没した流木等を引き上げる必要が生じる。【０００３】  従来の吊り上げ用把持具はいろいろ開発されているが、その中で、小型、軽量で、かつ、確実に取扱うことができる吊具が出願されている。（例えば、特許文献１参照。）。【０００４】  この形式の吊具は、吊金具に上端が軸着された開閉可能な一対の把持アームと、把持アームの中間部にて一端が支持軸により軸着され、他端が中心部にて連結軸により連結された一対のリンクとリンクに上端が軸着され、下部に軸着部垂直下方より一方に延出し、把持アームの狭持動作時に荷物上面に摺接する接触ガイド部と、上部に接触ガイド部方向への回動を規制する規制部を有する動作レバーと、リンクの下方への傾動を規制する規制手段が設けられたものであった。【０００５】
【特許文献１】  特開２００２−１２０９８９号公報
【考案の開示】
【考案が解決しようとしている課題】
【０００６】  上記した従来の吊具では、開閉をリング機構やレバー、油圧駆動などの操作を手元スイッチやロープを介在して操作する必要があることや汚濁した水中では被把持物を把持するタイミングがつかめず、被把持物の角度や重量バランスが制限される等の問題があり、作業効率が悪かった。
【０００７】  本考案は以上のような従来技術の問題点に鑑みなされたもので、主に透視できない水中にある流木等を探りながら把持でき、被把持物を確実に掴み、かつ油圧などを用いない簡易な把持具であり、比較的軽量で部品点数が少なく、安全に引揚げることかできる吊り上げ用把持具を提供する事を目的とする。
【課題を解決するための手段】
【０００８】  本考案の構成は、それぞれ一端部でロープと係合され、また、略中間部で交差し、支点ピンによって軸支された一対の湾曲して対向する把持部を有する把持具と該把持具の一方の把持部に設けられた支持ピンで回転自在に軸支され、その先端に切り欠きを持ち、他方の把持具の把持部に設けられたピンを係合する支持アームとを備え、かつ、前記把持具の把持部に鋸歯列が設けられていることを特徴とする。すなわち、把持に重力や引揚げ力が作用した際に、把持部の鋸歯列の歯が上向きとなるようにし、把持した材木等に食い込むことにより確実に掴む構造となっていることを特徴とする。
【考案の効果】
【０００９】  本考案に関わる把持具を使用すると、以下の効果が得られる。
（１）不透明な水中で被把持具の方向や、太さ、埋没状態、重量バランス等に関係なく、被把持物を確実に掴み、引き上げることができる。
（２）把持具が被把持物に対して、斜めに傾いても十分に把持力を保ち、確実に引き上げることが出来る。
（３）構造が簡単であり、機械的な故障がなく、極めて安価に提供できる。
（４）危険作業から開放され、安全に手間無く容易に除去作業が行える。
【考案を実施するための最良の形態】
【００１０】  以下、本考案の一実施形態について、図面に基づいて説明する。図１は被把持物を把持する前の状態を示す吊り上げ用把持具の正面図である。図２は被把持物が支持アームを押し上げた状態を示す吊り上げ用把持具の正面図である。図３は被把持物が完全に把持された状態を示す吊り上げ用把持具の正面図である。図４は把持具に取り付けられた鍔付きピンの側面図である。図５は支持アームの切り欠きと鍔付きのピンの係合状態を示す要部正面図である。【００１１】  図において、１、２は一対の把持具であり、一端部でロープ１０と係合され、略中間部で交差し、支点ピン３により軸支されると共に、支点ピン３より先（図では下側）にある湾曲して対向する把持部４の内側には上向きの鋸歯列５が設けられている。【００１２】  前記鋸列歯５は材木等を把持した際に、各歯が上向きになるように設けられており、重力や引き上げ力が作用した際に、材木等に食い込むようになっている。【００１３】  ６は、把持具１の把持部に設けられた鍔付きのピン９（図４参照）と係合する切り欠き７（図５参照）をその先端に有し、把持具２の把持部４に設けられたアーム支持ピン８で回転自在に軸支されている支持アームである。【００１４】  前記切り欠き７は、鍔付きのピン９と係合することにより、把持具１、２の開閉をロックするためのものであり、奥が内側に傾くように設けられており、自重で支持アーム６が鍔付のピン９から外れないように設けられている。【００１５】  鍔付のピン９は本実施形態の形状に限定されず、自重で支持アーム６が該ピン９から外れない形状であればいずれでも良い。【００１６】  以下、本実施形態の吊上げ用把持具の作用について説明する。吊上げ用把持具を使用する際には、まず図１に示すように、支持アーム６の先端部にある切り欠き７を鍔付のピン９にはめ込み、ロープ１０に自重による張力を与え把持具１、２を開きの状態で下降させる。【００１７】  続いて、さらに把持具１、２を下降させると、図２に示すように、支持アーム６が被把持物１１に当たりロープ１０の張力がゆるむと、支持アーム６がアーム支持ピン８を支点にして鍔付のピン９から上向きに外れ、把持具１、２が被把持物１１を掴む態勢に入る。【００１８】  続いてロープ１０に上向きの張力をかけると、図３に示すように把持具の１、２の鋸歯列５が被把持物１１に食い込み掴み上げる。掴み力は被把持物１１の重量に比例して強くなる。【００１９】  ロープ１０を吊り上げ、把持具１、２により掴まれた被把持物１１を目的位置に運び、被把持物１１を置きロープ１０の張力を緩めると、把持具１、２、の把持部の鋸歯列５が被把持物１１から離れ、把持部は広がる。それに伴って、支持アーム６の先端部にある切り欠が鍔付のピン９と係合し、把持具１、２はロックされ図１の状態に戻る。【００２０】  以上のような作用により、本考案の吊り上げ用把持具は被把持物を確実に掴むことができる。
【図面の簡単な説明】
【００２１】
【図１】被把持物を把持する前の状態を示す吊り上げ用把持具の正面図である。
【図２】被把持物が支持アームを押し上げた状態を示す吊り上げ用把持具の正面図である
【図３】被把持物が完全に把持された状態を示す吊り上げ用把持具の正面図である。
【図４】把持具に取り付けられた鍔付きピンの側面図である。
【図５】支持アームの切り欠きと鍔付きのピンの係合状態を示す要部正面図である。
【符号の説明】
【００２２】１  把持具
２  把持具
３  支点ピン
４  把持部
５  鋸歯列
６  支持アーム
７  切り欠き
８  アーム支持ピン
９  鍔付のピン
１０  ロープ
１１  被把持物
【図１】
0003128277.tif 000003
【図２】
0003128277.tif 000004
【図３】
0003128277.tif 000005
【図４】
0003128277.tif 000006
【図５】
0003128277.tif 000007